(57)【要約】【課題】複数の導体からなる配索材を所望の方向に省スペースで分岐できる分岐構造を提供する。【解決手段】電線９５，９７，９９，１０１からなる複数方向からの配索材１５Ａ〜１５Ｄを接続するための分岐構造であって、平板状の導電材料からなる第１平板導体３１，３３と、平板状の導電材料からなり、第１平板導体に対して離間した状態で第１平板導体に直交する平面に沿うように配置された第２平板導体３５，３７と、第１平板導体に設けられて電線のＬＡ端子１４，１６が電気的に接続される複数の第１ネジ締結部７７と、第２平板導体に設けられて電線のＬＡ端子１４，１６が電気的に接続される複数の第２ネジ締結部７９と、第１平板導体と第２平板導体を電気的に絶縁状態に保持する絶縁保持部材８５と、を備える。【選択図】図１
2018163772.tif 000002
【特許請求の範囲】
【請求項１】
複数の導体からなる複数方向からの配索材を接続するための分岐構造であって、
平板状の導電材料からなる第１平板導体と、
平板状の導電材料からなり、前記第１平板導体に対して離間した状態で前記第１平板導体に直交する平面に沿うように配置された第２平板導体と、
前記第１平板導体に設けられて前記導体の端部が電気的に接続される複数の第１ネジ締結部と、
前記第２平板導体に設けられて前記導体の端部が電気的に接続される複数の第２ネジ締結部と、
前記第１平板導体と前記第２平板導体を電気的に絶縁状態に保持する絶縁保持部材と、
を備える
ことを特徴とする分岐構造。
【請求項２】
一対の前記第１平板導体が、それぞれ平面視でクランク状に形成され、
一対の前記第２平板導体が、それぞれ長形状に形成され、
クランク状に形成された前記一対の第１平板導体は、それぞれの両端に設けられた前記第１ネジ締結部同士が重ならずに突出するように互いに平行に配置され、
長形状に形成された前記一対の第２平板導体は、それぞれの両端に設けられた前記第２ネジ締結部同士が前記一対の第１平板導体を挟んで反対側に位置すると共に、前記一対の第１平板導体に対してそれぞれ離間した状態で前記一対の第１平板導体に直交する平面に沿うように配置され、
前記絶縁保持部材は、前記一対の第１平板導体及び前記一対の第２平板導体をそれぞれ電気的に絶縁状態に保持する
ことを特徴とする請求項１に記載の分岐構造。
【請求項３】
請求項２に記載の分岐構造を構成する前記一対の第１平板導体、前記一対の第２平板導体、及び前記絶縁保持部材が、絶縁性の収容ケースに収容されている
ことを特徴とする分岐ボックス。
【発明の詳細な説明】
【技術分野】
【０００１】
本発明は、分岐構造及び分岐ボックスに関する。
【背景技術】
【０００２】
例えば、車載バッテリーから車体の各所に電源を送る電線は、一度ジャンクションボックス（Ｊ／Ｂ）を通し、そのジャンクションボックスから各所の機器へ持って行く（分岐する）ことが多い。
このような電線の分岐を容易に行うものとしては、複数の接続孔（ネジ締結部）を有するバスバーを用いて複数の電線を分岐する分岐構造が知られている（特許文献１参照）。
【先行技術文献】
【特許文献】
【０００３】
【特許文献１】特開平１１−１２６６３７号公報
【発明の概要】
【発明が解決しようとする課題】
【０００４】
しかしながら、上述のような分岐構造により複数の電線（導体）からなる配索材を接続する場合、複数の電線を接続するための複数のネジ締結部を横並びで配置しなければならない。そして、隣接するネジ締結部間には、締結ナットをそれぞれ回転させるために必要な空間を確保する必要があり、横並び方向の寸法が大きくなってしまう。その結果、分岐のためのスペースが拡大し、省スペース化には不利となる。
【０００５】
本発明は上記状況に鑑みてなされたもので、その目的は、複数の導体からなる配索材を所望の方向に省スペースで分岐できる分岐構造及び分岐ボックスを提供することにある。
【課題を解決するための手段】
【０００６】
本発明に係る上記目的は、下記構成により達成される。
（１）  複数の導体からなる複数方向からの配索材を接続するための分岐構造であって、
平板状の導電材料からなる第１平板導体と、平板状の導電材料からなり、前記第１平板導体に対して離間した状態で前記第１平板導体に直交する平面に沿うように配置された第２平板導体と、前記第１平板導体に設けられて前記導体の端部が電気的に接続される複数の第１ネジ締結部と、前記第２平板導体に設けられて前記導体の端部が電気的に接続される複数の第２ネジ締結部と、前記第１平板導体と前記第２平板導体を電気的に絶縁状態に保持する絶縁保持部材と、を備えることを特徴とする分岐構造。
【０００７】
上記（１）の構成の分岐構造によれば、複数方向からの各配索材における複数の導体の端部を、第１平板導体に設けられた複数の第１ネジ締結部と第２平板導体に設けられた複数の第２ネジ締結部とにそれぞれネジ締結することで、複数の導体からなる配索材を所望の方向に分岐することができる。
第２平板導体が第１平板導体に直交する平面に沿うように（直交する平面に平行に）配置されることで、第２ネジ締結部の締結方向（ねじ軸方向）が第１ネジ締結部の締結方向と直交するように配置されるので、複数の平板導体のネジ締結部が横並びで配置されて締結方向が並行な場合に比べ、各配索材に対応する第１ネジ締結部と第２ネジ締結部とは横並び方向の寸法を小さくできる。即ち、複数のネジ締結部が横並びで配置された場合、隣接するネジ締結部間には締結ナットをそれぞれ回転させるために必要な空間を確保する必要がある。これに対して、第２ネジ締結部が第１ネジ締結部と直交するように配置された場合、第２ネジ締結部は第１ネジ締結部に対して直交する方向に離間することで締結ナットを回転させるために必要な空間を確保することができ、横並び方向の寸法を小さくできる。
【０００８】
（２）  一対の前記第１平板導体が、それぞれ平面視でクランク状に形成され、一対の前記第２平板導体が、それぞれ長形状に形成され、クランク状に形成された前記一対の第１平板導体は、それぞれの両端に設けられた前記第１ネジ締結部同士が重ならずに突出するように互いに平行に配置され、長形状に形成された前記一対の第２平板導体は、それぞれの両端に設けられた前記第２ネジ締結部同士が前記一対の第１平板導体を挟んで反対側に位置すると共に、前記一対の第１平板導体に対してそれぞれ離間した状態で前記一対の第１平板導体に直交する平面に沿うように配置され、前記絶縁保持部材は、前記一対の第１平板導体及び前記一対の第２平板導体をそれぞれ電気的に絶縁状態に保持することを特徴とする上記（１）に記載の分岐構造。
【０００９】
上記（２）の構成の分岐構造によれば、４方向からの各配索材における４本の導体の端部を、一対の第１平板導体における４つの第１ネジ締結部及び一対の第２平板導体における４つの第２ネジ締結部に、それぞれ１本ずつ接続することで、４本の導体からなる配索材を４方向にコンパクトに分岐接続することができる。
【００１０】
（３）  上記（２）に記載の分岐構造を構成する前記一対の第１平板導体、前記一対の第２平板導体、及び前記絶縁保持部材が、絶縁性の収容ケースに収容されていることを特徴とする分岐ボックス。
【００１１】
上記（３）の構成の分岐ボックスによれば、分岐構造を構成する第１平板導体、第２平板導体及び絶縁保持部材が、電気絶縁性や熱絶縁性等の絶縁性を有する収容ケース内に収容されるので、車両等の配索材（電線）を分岐する部分に取付ける際の取扱い性が向上する。
【発明の効果】
【００１２】
本発明に係る分岐構造及び分岐ボックスによれば、複数の導体からなる配索材を所望の方向に省スペースで分岐できる。
【００１３】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１４】
【図１】本発明の一実施形態に係る分岐構造を備えた三次元接続部材が収容ケースに収容された分岐ボックスの分解斜視図である。
【図２】収容ケースから取り出した三次元接続部材の絶縁保持部材を省略した外観斜視図である。
【図３】図１に示した三次元接続部材の平面図である。
【図４】図３の正面図である。
【図５】図３の底面図である。
【図６】図２の分解斜視図である。
【図７】図１に示した三次元接続部材の分解斜視図である。
【図８】図１に示した三次元接続部材の外観斜視図である。
【図９】図８のＩＸ−ＩＸ断面矢視図である。
【図１０】図８のＸ−Ｘ断面矢視図である。
【図１１】従来のジャンクションボックスを用いた車両における電線の配索例を表す模式図である。
【図１２】図１に示した分岐ボックスと複数種の配索材を用いた車両における配索例を表す模式図である。
【発明を実施するための形態】
【００１５】
以下、本発明に係る実施形態を図面を参照して説明する。
図１は本発明の一実施形態に係る分岐構造を備えた三次元接続部材１３が収容ケースに収容された分岐ボックス１１の分解斜視図、図２は収容ケースから取り出した三次元接続部材１３の絶縁保持部材８５を省略した外観斜視図、図３は図１に示した三次元接続部材の平面図である。
本実施形態に係る分岐構造は、図１に示すように、分岐ボックス１１に収容される三次元接続部材１３に適用される。本実施形態に係る分岐構造は、複数の導体からなる後述の複数の配索材１５Ａ〜１５Ｄを電気的に接続するものである。例えば、本実施形態の分岐構造は、車載バッテリー１７（図１２参照）からの供給電力を車両各所の機器１９に最適に分岐させることができる。
【００１６】
図１に示すように、分岐ボックス１１は、本実施形態に係る分岐構造を有する三次元接続部材１３を収容するための電気絶縁性や熱絶縁性等の絶縁性を有する合成樹脂製の収容ケースである。分岐ボックス１１は、収容ケース２１と、収容ケース２１の上面を覆う蓋ケース２５とにより構成されている。
【００１７】
分岐ボックス１１は、収容ケース２１と蓋ケース２５とにより三次元接続部材１３を覆う。分岐ボックス１１は、略６面体で形成される。分岐ボックス１１のそれぞれの側面部には、後述する配索材１５Ａ〜１５Ｄのそれぞれの電線（導体）９５，９７，９９，１０１を挿通するための複数の接続開口部２９が形成される。接続開口部２９は、電線９５，９７，９９，１０１が接続された三次元接続部材１３を収容ケース２１の上方開口から収容できるように、収容ケース２１の側壁上端から下方に向けて切り欠き形成された開口である。
【００１８】
収容ケース２１の底面には、収容された三次元接続部材１３を挟持固定するための保持突起２３が突設されている。蓋ケース２５の内面にも、同様の保持突起２３が突設されており、蓋ケース２５が収容ケース２１に固定された際に、それぞれの保持突起２３が三次元接続部材１３における絶縁保持部材８５の上下端を挟持することで、三次元接続部材１３が収容ケース２１内に位置決め固定される。蓋ケース２５は、収容ケース２１のネジ穴２７に螺合される取付ネジ３０により、収容ケース２１の上方開口を覆うように固定される。
【００１９】
なお、分岐ボックス１１におけるこれら電源の分岐方向は、配索材１５Ａ〜１５Ｄの配索方向に依存するため、図示例の形状に限らず、最適な位置を選択・加工することで自由に分岐方向を変更することができるものである。
【００２０】
図２〜６は収容ケース２１から取り出した三次元接続部材１３の絶縁保持部材８５を省略した外嵌斜視図、平面図、正面図、底面図及び分解斜視図である。図７〜図１０は、三次元接続部材の分解斜視図、外観斜視図及び断面図である。
分岐ボックス１１に収容される三次元接続部材１３は、平板状の導電性材料からなる一対の第１平板導体３１，３３と、平板状の導電材料からなり、第１平板導体３１，３３に対して離間した状態で第１平板導体３１，３３に直交する平面に沿うように配置された一対の第２平板導体３５，３７と、一対の第１平板導体３１，３３及び一対の第２平板導体３５，３７をそれぞれ電気的に絶縁状態に保持する絶縁保持部材８５と、を備える。
【００２１】
第１平板導体３１には、各配索材１５Ａ〜１５Ｄの電線９７が電気的に接続される一対の第１ネジ締結部（ネジ孔）７７が設けられており、第１平板導体３３には、各配索材１５Ａ〜１５Ｄの電線９９が電気的に接続される一対の第１ネジ締結部７７が設けられている。
また、第２平板導体３５には、各配索材１５Ａ〜１５Ｄの電線９５が電気的に接続される一対の第２ネジ締結部（ネジ孔）７９が設けられており、第２平板導体３７には、各配索材１５Ａ〜１５Ｄの電線１０１が電気的に接続される一対の第２ネジ締結部７９が設けられている。
【００２２】
各電線９５，９７，９９，１０１の端部には、ボルト挿通孔を有するＬＡ端子１４又はＬＡ端子１６が接続されている。ＬＡ端子１４は、取付面に対するボルト締結方向と電線延出方向が直交するように固定される。また、ＬＡ端子１６は、電線配索方向に応じて先端固定部が屈曲されており、取付面に対するボルト締結方向と電線延出方向が平行となるように固定される。
【００２３】
そして、これらＬＡ端子１４又はＬＡ端子１６が接続された各電線９５，９７，９９，１０１の端部は、ボルト８０及び締結ナット８２によって、対応する第１ネジ締結部７７及び第２ネジ締結部７９に締結固定される。なお、これら第１ネジ締結部７７又は第２ネジ締結部７９に対しては、それぞれ２つの電線９５，９５（９７，９７；９９，９９；１０１，１０１）の端部を共締めすることができる。
【００２４】
これら第１平板導体３１，３３及び第２平板導体３５，３７の数は、接続する配索材１５Ａ〜１５Ｄの電線９５，９７，９９，１０１に対応した数となる。本実施形態においては、各配索材１５Ａ〜１５Ｄの電線９５，９７，９９，１０１の数が４本であるので、一対の第１平板導体３１，３３と一対の第２平板導体３５，３７の合計４枚となる。
【００２５】
本実施形態において、一対の第１平板導体３１，３３は、それぞれ平面視でクランク状に形成されている。そして、クランク状に形成された一対の第１平板導体３１，３３は、それぞれの両端に設けられた第１ネジ締結部７７同士が重ならずに突出するように互いに平行に配置される（図８参照）。
また、一対の第２平板導体３５，３７は、それぞれ平面視で長形状に形成されている。そして、長形状に形成された一対の第２平板導体３５，３７は、それぞれの両端に設けられた第２ネジ締結部７９同士が一対の第１平板導体３１，３３を挟んで反対側（上下側）にそれぞれ位置すると共に、一対の第１平板導体３１，３３に対してそれぞれ離間した状態で一対の第１平板導体３１，３３に直交する平面に沿うように配置される（図８参照）。
【００２６】
即ち、一対の第２平板導体３５，３７が、一対の第１平板導体３１，３３に直交する平面に沿うように（直交する平面に平行に）配置されることで、第２ネジ締結部７９の締結方向（ねじ軸方向）が第１ネジ締結部７７の締結方向と直交するように配置される。
そして、それぞれの第１平板導体３１，３３及び第２平板導体３５，３７における第１ネジ締結部７７及び第２ネジ締結部７９には、水平な４方向からの各配索材１５Ａ〜１５Ｄにおける電線９５，９７，９９，１０１が電気的に接続される。この際、これら第１ネジ締結部７７又は第２ネジ締結部７９に対しては、それぞれ２つの電線の端部を共締めすることができるので、配索材１５Ａに設けられる複数の電線９５，９７，９９，１０１のうちの一対の電線９５，９７を見た場合、これら電線９５，９７を分岐するには、第１平板導体に少なくとも２つの第１ネジ締結部７７を設け、第２平板導体に少なくとも２つの第２ネジ締結部７９を設ければよい。
【００２７】
本実施形態に係る絶縁保持部材８５は、図７〜図１０に示すように、一対の第１平板導体３１，３３及び一対の第２平板導体３５，３７をそれぞれ電気的に絶縁状態に保持するため、絶縁樹脂材で形成された保持部材である。
絶縁保持部材８５は、一対の第１平板導体３１，３３を水平方向に互いに平行に挟持する一対の水平スリット８１と、一対の第２平板導体３５，３７を垂直方向に互いに同一平面上に挟持する一対の垂直スリット８３とを有する。
【００２８】
一対の水平スリット８１は、互いに水平方向から対向するように挿入された第１平板導体３１，３３の中間部を覆うようにこれらを挟持する。そこで、平面視でクランク状に形成された第１平板導体３１，３３は、それぞれ第１ネジ締結部７７が設けられた両端部が露出した状態となる。
一対の垂直スリット８３は、互いに上下方向から対向するように挿入された第２平板導体３５，３７の中間部を覆うようにこれらを挟持する。そこで、長形状に形成された第２平板導体３５，３７は、それぞれ第２ネジ締結部７９が設けられた両端部が露出した状態となる。
【００２９】
従って、絶縁保持部材８５の一対の垂直スリット８３に保持された第２平板導体３５，３７は、それぞれの両端に設けられた第２ネジ締結部７９同士が第１平板導体３１，３３を挟んで上下側にそれぞれ位置すると共に、一対の水平スリット８１に保持された第１平板導体３１，３３に対してそれぞれ離間して電気的に絶縁された状態で第１平板導体３１，３３に直交する平面に沿うように配置され、三次元接続部材１３が構成される。
【００３０】
図１〜図５に示すように、本実施形態の三次元接続部材１３は、各側辺部に、４方向から配索材１５Ａ〜１５Ｄが接続される。
各配索材１５Ａ〜１５Ｄは、例えば４８Ｖのマイナス、４８Ｖのプラス、１２Ｖのプラス、１２Ｖのマイナスの電線９５，９７，９９，１０１を束にして４回路を構成している。勿論、本発明の分岐構造はこれに限定されるものではなく、２回路以上の複数の導体からなる配索材を分岐接続することができる。
本実施形態に係る各電線９５，９７，９９，１０１は、導体である芯線７１の周囲を絶縁被覆７３で覆った被覆電線である。
【００３１】
そして、三次元接続部材１３には、第１平板導体３１，３３の第１ネジ締結部７７及び第２平板導体３５，３７の第２ネジ締結部７９に、各配索材１５Ａ〜１５Ｄにおける電線９５，９７，９９，１０１が締結固定される。
更に詳しくは、図１及び図６に示すように、第１平板導体３１の一方の第１ネジ締結部７７には、配索材１５Ａの電線９７が接続されたＬＡ端子１４と、配索材１５Ｄの電線９７が接続されたＬＡ端子１４とが共締めされて電気的に接続される。また、第１平板導体３１の他方の第１ネジ締結部７７には、配索材１５Ｂの電線９７が接続されたＬＡ端子１４と、配索材１５Ｃの電線９７が接続されたＬＡ端子１４とが共締めされて電気的に接続される。
【００３２】
更に、第１平板導体３３の一方の第１ネジ締結部７７には、配索材１５Ａの電線９９が接続されたＬＡ端子１４と、配索材１５Ｄの電線９９が接続されたＬＡ端子１４とが共締めされて電気的に接続される。また、第１平板導体３３の他方の第１ネジ締結部７７には、配索材１５Ｂの電線９９が接続されたＬＡ端子１４と、配索材１５Ｃの電線９９が接続されたＬＡ端子１４とが共締めされて電気的に接続される。
【００３３】
更に、第１平板導体３５の一方の第２ネジ締結部７９には、配索材１５Ａの電線９５が接続されたＬＡ端子１６と、配索材１５Ｄの電線９５が接続されたＬＡ端子１４とが共締めされて電気的に接続される。また、第１平板導体３５の他方の第２ネジ締結部７９には、配索材１５Ｂの電線９５が接続されたＬＡ端子１４と、配索材１５Ｃの電線９５が接続されたＬＡ端子１６とが共締めされて電気的に接続される。
【００３４】
そして、第２平板導体３７の一方の第２ネジ締結部７９には、配索材１５Ａの電線１０１が接続されたＬＡ端子１６と、配索材１５Ｄの電線１０１が接続されたＬＡ端子１４とが共締めされて電気的に接続される。また、第２平板導体３７の他方の第２ネジ締結部７９には、配索材１５Ｂの電線１０１が接続されたＬＡ端子１４と、配索材１５Ｃの電線１０１が接続されたＬＡ端子１６とが共締めされて電気的に接続される。
【００３５】
即ち、４方向からの各配索材１５Ａ〜１５Ｄにおける電線９５，９７，９９，１０１の端部を、一対の第１平板導体３１，３３にそれぞれ設けられた一対の第１ネジ締結部７７と、一対の第２平板導体３５，３７にそれぞれ設けられた一対の第２ネジ締結部７９とにそれぞれネジ締結することで、４本の電線９５，９７，９９，１０１からなる配索材１５Ａ〜１５Ｄを所望の方向（水平４方向）に分岐接続することができる。
【００３６】
そして、配索材１５Ａ〜１５Ｄが接続された三次元接続部材１３は、図１に示したように、上方開口より収容ケース２１内に装入される。この際、三次元接続部材１３から延出する各電線９５，９７，９９，１０１は、収容ケース２１の側壁に形成された対応する接続開口部２９に挿通される。
収容ケース２１内に装入された三次元接続部材１３は、絶縁保持部材８５の下端部が収容ケース２１の底面に突設された保持突起２３により挟持固定され、蓋ケース２５を収容ケース２１に取付けることで、絶縁保持部材８５の上端部が蓋ケース２５の内面に突設された保持突起２３により挟持固定される。そこで、収容ケース２１内に収容された三次元接続部材１３は、収容ケース２１内に位置決め固定される。
【００３７】
次に、上記した構成の作用を説明する。
本実施形態に係る分岐構造を備えた三次元接続部材１３では、４方向からの各配索材１５Ａ〜１５Ｄにおける４本の電線９５，９７，９９，１０１の端部（ＬＡ端子１４，１６）を、一対の第１平板導体３１，３３に設けられた４つの第１ネジ締結部７７と一対の第２平板導体３５，３７に設けられた４つの第２ネジ締結部７９とにそれぞれネジ締結することで、４本の電線９５，９７，９９，１０１からなる配索材１５Ａ〜１５Ｄを所望の方向（水平４方向）に分岐することができる。
【００３８】
即ち、４方向からの各配索材１５Ａ〜１５Ｄにおける４本の電線９５，９７，９９，１０１の端部を、一対の第１平板導体３１，３３における４つの第１ネジ締結部７７及び一対の第２平板導体３５，３７における４つの第２ネジ締結部７９に、それぞれ１本ずつ接続することで、４本の電線９５，９７，９９，１０１からなる配索材１５Ａ〜１５Ｄを４方向にコンパクトに分岐接続することができる。なお、これら第１ネジ締結部７７又は第２ネジ締結部７９に対しては、それぞれ２つの電線９５，９５（９７，９７；９９，９９；１０１，１０１）の端部（ＬＡ端子１４，１６）を共締めすることができる。
【００３９】
また、本実施形態に係る分岐構造を備えた三次元接続部材１３は、一対の第２平板導体３５，３７が第１平板導体３１，３３に直交する平面に沿うように（直交する平面に平行に）配置されることで、第２ネジ締結部７９の締結方向（ねじ軸方向）が第１ネジ締結部７７の締結方向と直交するように配置されるので、複数の平板導体のネジ締結部が横並びで配置されて締結方向が並行な場合に比べ、各配索材１５Ａ〜１５Ｄに対応する第１ネジ締結部７７と第２ネジ締結部７９とは横並び方向の寸法を小さくできる。即ち、複数のネジ締結部が横並びで配置された場合、隣接するネジ締結部間には締結ナットをそれぞれ回転させるために必要な空間を確保する必要がある。これに対して、第２ネジ締結部７９が第１ネジ締結部７７と直交するように配置された本実施形態の三次元接続部材１３の場合、第２ネジ締結部７９は第１ネジ締結部７７に対して直交する方向に離間することで締結ナット８２を回転させるために必要な空間を確保することができ、横並び方向の寸法を小さくできる。
【００４０】
更に、本実施形態に係る分岐ボックス１１によれば、一対の第１平板導体３１，３３、一対の第２平板導体３５，３７及び絶縁保持部材８５が、電気絶縁性や熱絶縁性等の絶縁性を有する収容ケース２１内に収容されるので、車両等の配索材（電線）を分岐する部分に取付ける際の取扱い性が向上する。
【００４１】
図１１に示すように、例えば車載バッテリー１７から一度、ジャンクションボックス１１３を通し、各所の機器１９に電源を送る従来の車両における配索例の場合、電線長が長くなる問題があった。また、余計な電線１１５が増えるため、重量アップやコストアップに繋がる問題があった。
これに対し、図１２に示すように、分岐ボックス１１と配索材１５Ａ〜１５Ｄを用いた本実施形態に車両における配索例では、車載バッテリー１７からの配索材１５Ａ〜１５Ｄの必要箇所に分岐ボックス１１を介装し、それぞれの分岐ボックス１１から各所の機器１９に電源を送ることがでるので、電線長を短くできる。また、余計な電線１１５が増えないため、重量及びコストを低減することができる。
【００４２】
また、本実施形態に係る分岐構造は、必ずしも電線９５，９７，９９，１０１からなる配索材１５Ａ〜１５Ｄと接続されなくてもよい。例えば、絶縁被覆された複数の丸型導体や平型導体が、クランプ等により束ねられた配索材を接続することもできる。丸型導体や平型導体は、ＬＡ端子状に形成された端部を分岐ボックス１１における第１ネジ締結部７７及び第２ネジ締結部７９にそれぞれ接続することができる。
従って、本実施形態に係る分岐構造によれば、複数の電線９５，９７，９９，１０１からなる配索材１５Ａ〜１５Ｄを所望の方向に省スペースで分岐できる。
本実施形態に係る分岐ボックス１１によれば、車載バッテリー１７から配索された幹線に設置することで、電源を持っていきたい各所に最適（コンパクトかつ容易）に分配することが可能になる。
【００４３】
本発明は上記の実施形態に限定されるものではなく、実施形態の各構成を相互に組み合わせることや、明細書の記載、並びに周知の技術に基づいて、当業者が変更、応用することも本発明の予定するところであり、保護を求める範囲に含まれる。
【００４４】
なお、本実施形態に係る三次元接続部材１３は、各配索材１５Ａ〜１５Ｄが、４本の電線９５，９７，９９，１０１を束にして４回路を構成している。本発明の分岐構造はこれに限らず、三次元接続部材１３が、２本の電線を束にして２回路を構成した複数の配索材を分岐接続するものでもよい。この場合、１枚の第１平板導体３１と、第１平板導体３１に対して離間した状態で第１平板導体３１に直交する平面に沿うように配置された１枚の第２平板導体３５と、これら第１平板導体３１と第２平板導体３５を電気的に絶縁状態に保持する絶縁保持部材８５とで、三次元接続部材１３が構成される。
【００４５】
ここで、上述した本発明に係る分岐構造の実施形態の特徴をそれぞれ以下［１］〜［３］に簡潔に纏めて列記する。
［１］  複数の導体（電線９５，９７，９９，１０１）からなる複数方向からの配索材（１５Ａ〜１５Ｄ）を接続するための分岐構造であって、
平板状の導電材料からなる第１平板導体（３１，３３）と、平板状の導電材料からなり、前記第１平板導体に対して離間した状態で前記第１平板導体に直交する平面に沿うように配置された第２平板導体（３５，３７）と、前記第１平板導体に設けられて前記導体の端部（ＬＡ端子１４，１６）が電気的に接続される複数の第１ネジ締結部（７７）と、前記第２平板導体に設けられて前記導体の端部が電気的に接続される複数の第２ネジ締結部（７９）と、前記第１平板導体と前記第２平板導体を電気的に絶縁状態に保持する絶縁保持部材（８５）と、を備えることを特徴とする分岐構造。
［２］  一対の前記第１平板導体（３１，３３）が、それぞれ平面視でクランク状に形成され、一対の前記第２平板導体（３５，３７）が、それぞれ長形状に形成され、クランク状に形成された前記一対の第１平板導体は、それぞれの両端に設けられた前記第１ネジ締結部（７７）同士が重ならずに突出するように互いに平行に配置され、長形状に形成された前記一対の第２平板導体は、それぞれの両端に設けられた前記第２ネジ締結部（７９）同士が前記一対の第１平板導体を挟んで反対側に位置すると共に、前記一対の第１平板導体に対してそれぞれ離間した状態で前記一対の第１平板導体に直交する平面に沿うように配置され、前記絶縁保持部材（８５）は、前記一対の第１平板導体及び前記一対の第２平板導体をそれぞれ電気的に絶縁状態に保持することを特徴とする上記［１］に記載の分岐構造。
［３］  上記［２］に記載の分岐構造を構成する前記一対の第１平板導体（３１，３３）、前記一対の第２平板導体（３５，３７）、及び前記絶縁保持部材（８５）が、絶縁性の収容ケース（２１）に収容されていることを特徴とする分岐ボックス（１１）。
【符号の説明】
【００４６】
１１…分岐ボックス
１３…三次元接続部材
１４，１６…ＬＡ端子（導体の端部）
１５Ａ〜１５Ｄ…配索材
２１…収容ケース
３１，３３…第１平板導体
３５，３７…第２平板導体
７７…第１ネジ締結部
７９…第２ネジ締結部
８５…絶縁保持部材
９５，９７，９９，１０１…電線（導体）
【図１】
2018163772.tif 000003
【図２】
2018163772.tif 000004
【図３】
2018163772.tif 000005
【図４】
2018163772.tif 000006
【図５】
2018163772.tif 000007
【図６】
2018163772.tif 000008
【図７】
2018163772.tif 000009
【図８】
2018163772.tif 000010
【図９】
2018163772.tif 000011
【図１０】
2018163772.tif 000012
【図１１】
2018163772.tif 000013
【図１２】
2018163772.tif 000014